(57)【要約】【課題】本発明は、通線距離が長い場合や、天井内の凹凸や障害物がある場合でも障害物を乗り越えたり、小さな隙間を通過して先に進めることができ、通線作業を容易に行なうことができる通線器誘導器具を提供することである。【解決手段】軸状の通線器本体２の先端部に取り付けられ、前記通線器本体２の進行方向の障害物９を乗り越え可能な障害物乗り越え部材３を備え、前記障害物乗り越え部材３は、先端結合部４と、前記通線器本体２の先端部に取り付けられる後端結合部５と、前記先端結合部４と前記後端結合部５との間に配設され、弾性変形可能な複数の線条体６によって全体的にほぼボール状に湾曲形成された本体部７とを有する。【選択図】図１
2014107985.tif 000002
【特許請求の範囲】
【請求項１】
軸状の通線器本体の先端部に取り付けられ、前記通線器本体の進行方向の障害物を乗り越え可能な障害物乗り越え部材を備え、
前記障害物乗り越え部材は、先端結合部と、前記通線器本体の先端部に取り付けられる後端結合部と、前記先端結合部と前記後端結合部との間に配設され、弾性変形可能な複数の線条体によって全体的にほぼボール状に湾曲形成された弾性変形可能な本体部とを有することを特徴とする通線器誘導器具。
【請求項２】
前記線条体は、ワイヤーの単線、または複数のワイヤーを撚り合わせたケーブルのいずれかで形成され、
前記本体部は、複数の線条体の各中間部を前記先端結合部に横方向から貫通させて結合し、前記線条体の両端部を前記後端結合部に束ねて結束させることで前記複数の線条体がそれぞれほぼ弓状に湾曲形成されたものであることを特徴とする請求項１に記載の通線器誘導器具。
【請求項３】
前記通線器本体は、前記本体部の湾曲形状を変形させる湾曲形状変形手段を有することを特徴とする請求項１に記載の通線器誘導器具。
【請求項４】
前記通線器本体は管体によって形成され、
前記湾曲形状変形手段は、前記通線器本体の前記管体内に挿通され、先端部が前記先端結合部に固定された軸状の操作部材と、
前記通線器本体の基端部側に設けられ、前記操作部材を軸線方向に移動操作する操作手段とを有することを特徴とする請求項３に記載の通線器誘導器具。
【請求項５】
前記操作手段は、前記通線器本体の基端部側に前記通線器本体に対して軸回り方向に回転可能に支持された取っ手と、
前記取っ手の回転を前記操作部材の軸線方向の進退動作に変換する送りねじ機構とを有することを特徴とする請求項４に記載の通線器誘導器具。
【請求項６】
前記操作手段は、前記通線器本体の基端部側に設けられた取っ手と、
前記取っ手の外周面に前記操作部材の軸線方向と直交する方向に延設されたねじ穴と、
前記ねじ穴に螺挿される雄ねじ部材を有し、前記通線器本体内で軸線方向に進退動作可能な前記操作部材を軸線方向の任意の位置で前記雄ねじ部材のねじ込みにより固定する固定部材とを有することを特徴とする請求項４に記載の通線器誘導器具。
【請求項７】
前記先端結合部は、先端面がほぼ球状、またはほぼ楕円球状に形成されていることを特徴とする請求項１に記載の通線器誘導器具。
【請求項８】
前記先端結合部は、蛍光素材で形成されていることを特徴とする請求項１に記載の通線器誘導器具。
【発明の詳細な説明】
【技術分野】
【０００１】
本発明は、大きなビル等の天井内や、床下などの配線作業時に使用される通線器誘導器具に関する。
【背景技術】
【０００２】
一般に、電気コードや、光ファイバケーブルなどの種々の線材を家屋の床下あるいは天井裏などに通線する作業のために通線工具である通線器が用いられる。通線作業は、例えば床下や天井裏、あるいは所定のパイプ内に電線等の線材を通す場合、まず通線すべき空間にピアノ線などの通線工具を挿通させ、その通線工具の一端部に通線すべき線材を係着する。その後、通線工具を他端側に引き抜くことにより、その空間に線材を通すようにしている。
【０００３】
特許文献１には、通常状態で、長尺のテープ状リード線が収納ケース内に巻回された状態で収納され、テープ状リード線の先端側が前記開口部から突出した状態となっている通線工具が示されている。これにより、コンパクトにまとめられたまま通線動作あるいは持ち運びを行うことができる構成の通線工具になっている。
【０００４】
また、配管設備の無い場所、例えば狭い天井裏などに配線する通線作業時には、点検口などを利用してスチル製のワイヤーや、釣竿型の通線器などを狭い空間に通して天井裏への点検口と点検口との間の通線作業に用いることが行われている。特許文献２には、このような通線作業で使用される通線ワイヤーの一例が示されている。ここでは、複数のスチル製のワイヤー等を組合せた腰の強い通線ワイヤーが示されている。
【先行技術文献】
【特許文献】
【０００５】
【特許文献１】特開平１０−６６２１６号公報
【特許文献２】特開平１１−１４６５２４号公報
【発明の概要】
【発明が解決しようとする課題】
【０００６】
特許文献１、２のような従来の通線器や、釣竿型の通線器などを使用して天井裏などの狭い空間に通線する作業時には、通線距離が長い場合、通線器の長さも長くなるので、通線器の先端側が自重で垂れ下がる。そのため、天井内の凹凸や障害物、例えば天井裏などに既に設置されている梁の部分などの構造物に通線器の先端部分が突き当たり、行き詰る可能性がある。また、例えば耐火壁等の小さな隙間に通線器の先端部分が通り抜けることができずに行き詰る可能性がある。
【０００７】
このような場合は、通線器を前へ進ませるために通線器の手元側で上下方向に揺さぶりながら、通線器の先端部分を障害物に乗り越えさせたり、小さな隙間を潜り抜けて上下の隙間に押し進めたりするなどの面倒な作業が必要になる。
本発明は上記事情に着目してなされたもので、その目的は、通線距離が長い場合や、天井内の凹凸や障害物がある場合でも障害物を乗り越えたり、小さな隙間を通過して先に進めることができ、通線作業を容易に行なうことができる通線器誘導器具を提供することにある。
【課題を解決するための手段】
【０００８】
本発明の一局面の態様は、軸状の通線器本体の先端部に取り付けられ、前記通線器本体の進行方向の障害物を乗り越え可能な障害物乗り越え部材を備え、前記障害物乗り越え部材は、先端結合部と、前記通線器本体の先端部に取り付けられる後端結合部と、前記先端結合部と前記後端結合部との間に配設され、弾性変形可能な複数の線条体によってほぼボール状に湾曲形成された弾性変形可能な本体部とを有することを特徴とする通線器誘導器具である。
【０００９】
そして、上記構成では、建物の天井裏等にある、梁（壁）等の障害物に障害物乗り越え部材が突き当たった場合は軸状の通線器本体を押し込むだけでほぼボール状の本体部が障害物を乗り越えることができるとともに、障害物乗り越え部材を障害物乗り越え部材の外径よりも小さな隙間に押し込むことにより、本体部の各線条体の弾性変形により小さな隙間に潜り込み、出口となる点検口まで到達し、通線できるようにしたものである。
【発明の効果】
【００１０】
本発明によれば、通線距離が長い場合や、天井内の凹凸や障害物がある場合でも障害物を乗り越えたり、小さな隙間を通過して先に進めることができ、通線作業を容易に行なうことができる通線器誘導器具を提供することができる。
【図面の簡単な説明】
【００１１】
【図１】本発明の第１の実施の形態の通線器誘導器具の全体の概略構成を示す斜視図。
【図２】第１の実施の形態の通線器誘導器具の作用を説明するもので、（Ａ）は通線器誘導器具の先端部分が天井裏の梁の部分などの構造物を乗り越える状態を示す図、（Ｂ）は通線器誘導器具の先端部分の形状よりも高い壁を通線器誘導器具の先端部分が乗り越える状態を示す図。
【図３】第１の実施の形態の通線器誘導器具の先端部分が天井裏の小さな隙間を通り抜ける状態を示す図。
【図４】本発明の第２の実施の形態の通線器誘導器具を示すもので、（Ａ）は通線器誘導器具の障害物乗り越え部材を外径が小さい状態に変形させた状態を示す斜視図、（Ｂ）は通線器誘導器具の障害物乗り越え部材を外径が大きい状態に変形させた状態を示す斜視図。
【図５】第２の実施の形態の湾曲形状変形手段の操作機構の一例を示す平面図。
【図６】第２の実施の形態の湾曲形状変形手段の操作機構の変形例を示す平面図。
【図７】通線器誘導器具の先端部分の変形例を示す側面図。
【発明を実施するための形態】
【００１２】
［第１の実施の形態］  
（構成）  
図１乃至図３は、本発明の第１の実施の形態を示す。図１は、例えば主に大きなビル等の天井裏への点検口と点検口との間の通線に用いる通線器誘導器具１の全体の概略構成を示す斜視図である。
本実施の形態の通線器誘導器具１は、軸状の通線器本体２の先端部に通線器本体２の進行方向の障害物を乗り越え可能な障害物乗り越え部材３を備えている。通線器本体２は、例えば釣竿のシャフトのような適度の剛性と弾力性を備えた軸体によって形成されている。この通線器本体２の先端部には障害物乗り越え部材３を着脱可能に取り付ける図示しない例えばねじ穴が形成されている。
【００１３】
障害物乗り越え部材３は、先端結合部４と、通線器本体２の先端部に取り付けられる後端結合部５と、先端結合部４と後端結合部５との間に配設され、弾性変形可能な複数の線条体６によって全体的にほぼボール状に湾曲形成された本体部７とを有する。本実施の形態では線条体６は、例えば複数の金属ワイヤーを撚り合わせた金属ケーブルで形成されている。なお、線条体６は、例えばピアノ線などの金属ワイヤーの単線、あるいは硬質なプラスチックの線材を撚り合わせたケーブルで形成されていてもよい。
【００１４】
先端結合部４は、例えば円筒状の筒体によって形成されている。この先端結合部４の筒体の外周面には、径方向に貫通する複数の貫通孔４ａが形成されている。本実施の形態では、３本の線条体６が使用されている。そして、障害物乗り越え部材３の本体部７は、３本の線条体６の各中間部を先端結合部４の貫通孔４ａに横方向から貫通させて結合し、各線条体６の両端部を後端結合部５に束ねて結束させることで６本の線条体６がそれぞれほぼ弓状に湾曲形成されたものである。ここで、先端結合部４の筒体の内部には接着剤などが充填されており、３本の線条体６の各中間部が先端結合部４の貫通孔から動かないように固定された状態で結合されている。これにより、障害物乗り越え部材３の本体部７は、６本の線条体６がそれぞれほぼ弓状に湾曲形成されて弾力性のあるほぼラグビーボールや、泡立て器型に成形されている。
【００１５】
また、後端結合部５の先端部には、３本の線条体６のそれぞれの両端部、すなわち６本の線条体６の端部が束ねて結束されている。この後端結合部５の後端部には、通線器本体２の先端部のねじ穴に螺合する雄ねじ部が形成されている。後端結合部５の後端部の雄ねじ部が通線器本体２の先端部のねじ穴に螺合することで通線器本体２の先端部に障害物乗り越え部材３が着脱可能に取り付けられている。
【００１６】
（作用）
次に、上記構成の作用について説明する。本実施の形態の通線器誘導器具１の使用時には、例えば天井裏への点検口から本実施の形態の通線器誘導器具１が天井裏の作業空間内に挿入される。このとき、通線器誘導器具１の通線器本体２を押し込むことで通線器本体２の先端部を真っ直ぐ前進させる。
【００１７】
図２（Ａ）に示すように天井８内に梁（壁）等の障害物９の凹凸がある場合は、通線器本体２の先端部の障害物乗り越え部材３が障害物９に突き当たる場合がある。本実施の形態の通線器誘導器具１では、障害物乗り越え部材３が弾力性のある金属ケーブルでほぼラグビーボールや、泡立て器の形状になっているので、障害物９に突き当たった障害物乗り越え部材３がその形状を変形させながら梁等の障害物９を乗り越えて進行させることができる。また、図２（Ｂ）に示すように天井８内の梁（壁）等の障害物９が、障害物乗り越え部材３より高さのある高段差の障害物９Ｂの場合であっても、高段差の障害物９Ｂに突き当たった障害物乗り越え部材３がそのまま通線器本体２を押し込むことでその形状を弾性変形させながら同様に高段差の障害物９Ｂを乗り越えて進行させることができる。
【００１８】
また、図３に示すように天井８内に例えば耐火壁１０等の小さな隙間１１があり、この隙間１１の上下の間隔Ｌ１が障害物乗り越え部材３の非変形時（自然状態）のボール形状の外径寸法Ｌ２よりも小さい場合がある。この場合、本実施の形態の通線器誘導器具１では、障害物乗り越え部材３の先端を隙間１１の内部に挿入した状態で、通線器誘導器具１の通線器本体２を押し込む。このときの通線器本体２の押し込み圧力により、天井８内の耐火壁１０等の小さな隙間１１の上下面間に障害物乗り越え部材３が圧入される。このとき、障害物乗り越え部材３の各線条体６は、障害物乗り越え部材３のボール形状を収縮させる状態に弾性変形する。そのため、通線器本体２の押し込みにより、障害物乗り越え部材３のボール形状の外径寸法がＬ２よりも小さくなるように障害物乗り越え部材３のボール形状を収縮させる状態に弾性変形させながら障害物乗り越え部材３を天井８内の耐火壁１０等の小さな隙間１１の上下面間に通過させることができる。
【００１９】
このような通線器誘導器具１の通線器本体２を押し込む作業により、出口となる点検口まで通線器誘導器具１の先端を到達させる。その後、取出した通線器誘導器具１の先端へケーブル又は、呼び線を縛付け、それを引き込むことで、天井内の配線を行うことができる。
【００２０】
（効果）  
そこで、上記構成のものにあっては次の効果を奏する。すなわち、本実施の形態の通線器誘導器具１では、通線器本体２の先端部に通線器本体２の進行方向の障害物を乗り越え可能な障害物乗り越え部材３を設けている。この障害物乗り越え部材３を６本の線条体６がそれぞれほぼ弓状に湾曲形成されて弾力性のあるほぼラグビーボールや、泡立て器型に成形したので、図２（Ａ）に示すように天井８内に梁（壁）等の障害物９の凹凸がある場合や、図２（Ｂ）に示すように障害物乗り越え部材３よりも高さのある高段差の障害物９Ｂでも、そのまま通線器本体２を押し込むことで障害物乗り越え部材３を弾性変形させながらそれらの障害物９や、高段差の障害物９Ｂを乗り越えて進行させることができる。さらに、天井８内に例えば耐火壁１０等の小さな隙間１１がある場合でもその小さな隙間１１でも潜り抜けることが可能となる。したがって、本実施の形態では通線距離が長い場合や、天井８内の凹凸や障害物９がある場合でも障害物９や、高段差の障害物９Ｂを乗り越えたり、小さな隙間１１を通過して先に進めることができ、通線作業を容易に行なうことができる通線器誘導器具１を提供することができる。
【００２１】
［第２の実施の形態］  
（構成）  
図４（Ａ），（Ｂ）および図５は、本発明の第２の実施の形態を示す。本実施の形態は、第１の実施の形態（図１乃至図３参照）の通線器誘導器具１の構成を次の通り変更した変形例である。なお、図４（Ａ），（Ｂ）および図５中で、図１乃至図３と同一部分には同一の符号を付してその説明を省略する。
【００２２】
すなわち、本実施の形態の通線器本体２は、図５に示すように管体２１によって形成されている。さらに、通線器本体２は、障害物乗り越え部材３の本体部７の湾曲形状を変形させる湾曲形状変形手段２２を有する。本実施の形態の湾曲形状変形手段２２は、通線器本体２の管体２１内に挿通され、先端部が先端結合部４に固定された軸状の操作部材２３と、通線器本体２の基端部側に設けられ、操作部材２３を軸線方向に移動操作する操作手段２４とを有する。
【００２３】
操作部材２３は、例えば送りねじ機構２５のねじ軸２６によって形成されている。このねじ軸２６には雄ねじ状のねじ溝が形成されている。操作手段２４は、通線器本体２の基端部側に通線器本体２に対して軸回り方向に回転可能に支持されたほぼリング状の取っ手２７を有する。この取っ手２７の内周面には、ねじ軸２６と螺合するねじ穴部２８が形成されている。この取っ手２７のねじ穴部２８とねじ軸２６のねじ溝とが螺合することにより、この取っ手２７の回転を操作部材２３のねじ軸２６の軸線方向の進退動作に変換する送りねじ機構２５が形成されている。
【００２４】
（作用）  
次に、上記構成の作用について説明する。本実施の形態の通線器誘導器具１では、操作手段２４の取っ手２７を正逆回転方向のいずれか一方に回転させることにより、ねじ軸２６が軸線方向に進退動作する。例えば、取っ手２７を正回転方向に回転させると、図４（Ａ）に示すようにねじ軸２６が通線器本体２の管体２１の先端側に引き出される前進方向に移動する。これにより、障害物乗り越え部材３の本体部７の湾曲形状を収縮させる状態（障害物乗り越え部材３の本体部７のボール形状の外径寸法Ｌ２が縮小する状態）に弾性変形させることができる。
【００２５】
また、取っ手２７を逆回転方向に回転させると、図４（Ｂ）に示すようにねじ軸２６が通線器本体２の管体２１の後端側に引き戻される後進方向に移動する。これにより、障害物乗り越え部材３の本体部７の湾曲形状を拡張させる状態（障害物乗り越え部材３の本体部７のボール形状の外径寸法Ｌ２が拡大する状態）に弾性変形させることができる。
【００２６】
（効果）  
そこで、本実施の形態では、第１実施形態の効果に加え、通線器本体２に障害物乗り越え部材３の本体部７の湾曲形状を変形させる湾曲形状変形手段２２を設けたので、操作手段２４の取っ手２７を正逆回転方向のいずれか一方に回転させる操作により、障害物乗り越え部材３の本体部７の湾曲形状・大きさを変形させることができる。そのため、障害物９の大きさに合わせて先端部の障害物乗り越え部材３の本体部７の湾曲形状を図４（Ｂ）に示す拡張状態に変形させることで、より大きな障害物９の乗り越えを行なうことができる。また、天井８内の隙間１１の大きさに合わせて先端部の障害物乗り越え部材３の本体部７の形状を図４（Ａ）に示す収縮状態に変化させることで、より小さな隙間１１への通過が可能となる。
【００２７】
［変形例］  
（構成）  
図６は、第２の実施の形態（図４（Ａ），（Ｂ）および図５参照）の通線器誘導器具１の変形例である。本変形例では、操作部材２３は、例えば丸棒３１によって形成されている。操作手段２４には、通線器本体２の基端部側に一体に設けられたリング状の取っ手３２が設けられている。この取っ手３２の外周面には操作部材２３の軸線方向と直交する方向に延設されたねじ穴３３が形成されている。さらに、取っ手３２にはねじ穴３３に螺挿される雄ねじ部材３４を有する固定部材３５が装着されている。そして、通線器本体２内で軸線方向に進退動作可能な操作部材２３を例えば手動で、軸線方向の任意の位置に移動した状態で、固定部材３５を雄ねじ部材３４のねじ込み方向に回転操作することにより、雄ねじ部材３４の先端を操作部材２３に圧接させることで、操作部材２３を軸線方向の任意の位置に固定することができる。
【００２８】
（作用効果）  
そこで、本変形例でも障害物乗り越え部材３の本体部７の湾曲形状を変形させることができる。したがって、本変形例でも第２の実施の形態と同様の効果が得られる。さらに、本変形例では、操作部材２３は、例えば丸棒３１によって形成することができるので、構成を簡素化することができる。
【００２９】
図７は、第１の実施の形態（図１乃至図３参照）の通線器誘導器具１の先端部分の変形例である。本変形例では、先端結合部４は、先端面がほぼ球状、またはほぼ楕円球状の球状部４１が形成されている。
（作用効果）  
そこで、本変形例では第１実施形態の効果に加え、先端結合部４をほぼ球状、またはほぼ楕円球状の球状部４１にすることで、障害物９に対して、スムーズに乗り越え・通過が可能となる効果がある。
【００３０】
なお、本発明は上記実施の形態に限定されるものではない。例えば、図７の先端結合部４は、蛍光素材で形成されている構成にしてもよい。このように、先端結合部４を蛍光素材にすることで、屋根裏の暗闇にて、わずかな光で先端がどこまで進行しているか判別できる。さらに、その他、本発明の要旨を逸脱しない範囲で種々変形実施できることは勿論である。
【符号の説明】
【００３１】
２…通線器本体、３…障害物乗り越え部材、４…先端結合部、５…後端結合部、６…線条体、７…本体部、９…障害物。
【図１】
2014107985.tif 000003
【図２】
2014107985.tif 000004
【図３】
2014107985.tif 000005
【図４】
2014107985.tif 000006
【図５】
2014107985.tif 000007
【図６】
2014107985.tif 000008
【図７】
2014107985.tif 000009